(57)【特許請求の範囲】
【請求項１】
第一の周波数帯域幅において無線局装置の無線通信に用いる周波数として決定した複数の周波数を有する第一周波数群の情報を含む配置情報であって前記第一周波数群に含まれる複数の周波数のうちの何れか周波数を他の周波数群に含まれる何れかの周波数を用いた際の干渉の影響に基づいて減少対象とする第一配置情報と、前記第一の周波数帯域幅の少なくとも一部の帯域で重なる第二の周波数帯域幅において前記無線局装置の無線通信に用いる周波数として決定した複数の周波数を有する第二周波数群の情報を含む第二配置情報と、を取得する配置情報取得部と、
前記第一周波数群に含まれる周波数と、前記第二周波数群に含まれる周波数を同時に用いた際の各周波数に影響する干渉値に基づいて、前記第一配置情報が示す前記第一周波数群に含まれる周波数のうち前記第二周波数群に含まれる何れかの周波数を用いた場合に干渉の影響のある周波数を前記無線通信に用いない周波数として削減すると共に、前記第二配置情報が示す前記第二周波数群に含まれる周波数の数を順に選択し、各周波数に影響する干渉値が所定の干渉値未満となる場合の、第一周波数群に含まれる周波数と第二周波数群に含まれる周波数とを含む統合配置情報を決定する配置情報決定部と、
を備える周波数配置装置。
【請求項２】
前記配置情報決定部は、
前記第二周波数群の第ｎ周波数（ｎ＝１，２，・・・Ｎ）を選択し、当該第二周波数群の第ｎ周波数と、前記第一周波数群に含まれる各周波数とが同時に用いられる場合の、それら各周波数に影響する干渉値を算出し、前記所定の干渉値以上の干渉が影響する周波数を前記第一周波数群から前記無線通信に用いない周波数として削減した場合の第ｎ配置情報を生成し、
第ｎ配置情報をｎ＝１，２，・・・Ｎまで変更して順に生成し、生成したそれら複数の第ｎ配置情報を比較して最も前記第一周波数群に含まれる周波数が含まれる第ｎ配置情報を前記統合配置情報と決定する
請求項１に記載の周波数配置装置。
【請求項３】
前記配置情報決定部は、
前記第ｎ配置情報に含まれる前記第二周波数群の第ｎ周波数を除く変更第二周波数群の第ｍ（ｍ＝１，２，・・・Ｍ）周波数を選択し、当該変更第二周波数群の第ｍ周波数と、前記第ｎ配置情報に含まれる各周波数とが同時に用いられる場合の、それら各周波数に影響する干渉値を算出し、前記所定の干渉値以上の干渉が影響する周波数を前記第ｎ配置情報に含まれる周波数の中から前記無線通信に用いない周波数として削減た場合の第ｍ配置情報を生成し、
第ｍ配置情報をｍ＝１，２，・・・Ｍまで変更して順に生成し、生成したそれら複数の第ｍ配置情報を比較して最も前記第ｎ配置情報に含まれる周波数を有する第ｍ配置情報を前記統合配置情報と決定する
請求項２に記載の周波数配置装置。
【請求項４】
前記配置情報決定部は、前記第ｍ配置情報を前記第ｎ配置情報と設定した場合の次の第ｍ配置情報を生成する処理を繰り返し、前記第ｍ配置情報に含まれる周波数に、前記第二周波数群に含まれる周波数の所望の数の周波数が含まれると判定した場合、その第ｍ配置情報を前記統合配置情報と決定する
請求項３に記載の周波数配置装置。
【請求項５】
前記統合配置情報に含まれる複数の周波数の中から前記無線局装置が無線に利用する周波数を割り当てる周波数割り当て部と、
を備えることを特徴とする請求項１から請求項４の何れか一項に記載の周波数配置装置。
【請求項６】
周波数配置装置が、
第一の周波数帯域幅において無線局装置の無線通信に用いる周波数として決定した複数の周波数を有する第一周波数群の情報を含む配置情報であって前記第一周波数群に含まれる複数の周波数のうちの何れか周波数を他の周波数群に含まれる何れかの周波数を用いた際の干渉の影響に基づいて減少対象とする第一配置情報と、前記第一の周波数帯域幅の少なくとも一部の帯域で重なる第二の周波数帯域幅において前記無線局装置の無線通信に用いる周波数として決定した複数の周波数を有する第二周波数群の情報を含む第二配置情報と、を取得し、
前記第一周波数群に含まれる周波数と、前記第二周波数群に含まれる周波数を同時に用いた際の各周波数に影響する干渉値に基づいて、前記第一配置情報が示す前記第一周波数群に含まれる周波数のうち前記第二周波数群に含まれる何れかの周波数を用いた場合に干渉の影響のある周波数を前記無線通信に用いない周波数として削減すると共に、前記第二配置情報が示す前記第二周波数群に含まれる周波数の数を順に選択し、各周波数に影響する干渉値が所定の干渉値未満となる場合の、第一周波数群に含まれる周波数と第二周波数群に含まれる周波数とを含む統合配置情報を決定する
処理方法。
【請求項７】
周波数配置装置に、
第一の周波数帯域幅において無線局装置の無線通信に用いる周波数として決定した複数の周波数を有する第一周波数群の情報を含む配置情報であって前記第一周波数群に含まれる複数の周波数のうちの何れか周波数を他の周波数群に含まれる何れかの周波数を用いた際の干渉の影響に基づいて減少対象とする第一配置情報と、前記第一の周波数帯域幅の少なくとも一部の帯域で重なる第二の周波数帯域幅において前記無線局装置の無線通信に用いる周波数として決定した複数の周波数を有する第二周波数群の情報を含む第二配置情報と、を取得する配置情報取得ステップと、
前記第一周波数群に含まれる周波数と、前記第二周波数群に含まれる周波数を同時に用いた際の各周波数に影響する干渉値に基づいて、前記第一配置情報が示す前記第一周波数群に含まれる周波数のうち前記第二周波数群に含まれる何れかの周波数を用いた場合に干渉の影響のある周波数を前記無線通信に用いない周波数として削減すると共に、前記第二配置情報が示す前記第二周波数群に含まれる周波数の数を順に選択し、各周波数に影響する干渉値が所定の干渉値未満となる場合の、第一周波数群に含まれる周波数と第二周波数群に含まれる周波数とを含む統合配置情報を決定する配置情報決定ステップと、
を実行させるプログラム。
【発明の詳細な説明】
【技術分野】
【０００１】
本発明は、周波数配置装置、処理方法、プログラムに関する。
【背景技術】
【０００２】
周波数分割多元接続（Ｆｒｅｑｕｅｎｃｙ−Ｄｉｖｉｓｉｏｎ Ｍｕｌｔｉｐｌｅ Ａｃｃｅｓｓ、ＦＤＭＡ）の一方式である要求割当多元接続（Ｄｅｍａｎｄ Ａｓｓｉｇｎｅｄ Ｍｕｌｔｉｐｌｅ Ａｃｃｅｓｓ、ＤＡＭＡ）の技術が、例えば衛星通信等において採用されている。ＦＤＭＡによれば、通信周波数帯が複数の周波数帯域（回線）に分割され、各無線局装置に割り当てられる。また、ＤＡＭＡによれば、各無線局装置が回線制御局装置に対して要求することにより、回線の割り当てが行われる。
【０００３】
ＦＤＭＡを用いた技術においては、無線局装置に対する回線の割り当てを行う際に、相互変調の影響を考慮した周波数配置を行う必要がある。例えば、下記の非特許文献１には、相互変調の影響を抑制しつつ、割当可能な最大回線数を配置する方法が記載されている。また特許文献１には、他の周波数からの干渉を考慮して周波数の割り当て順序の方法を決定する技術が開示されている。また関連する技術が特許文献２〜４に開示されている。
【先行技術文献】
【特許文献】
【０００４】
【特許文献１】特開２０１４−２３９３２８号公報
【特許文献２】特表２０１５−５０８２６１号公報
【特許文献３】特開２０１４−０５３６８５号公報
【特許文献４】特開２００７−１６６４２４号公報
【非特許文献】
【０００５】
【非特許文献１】「Ｉｎｔｅｒｍｏｄｕｌａｔｉｏｎ Ｉｎｔｅｒｆｅｒｅｎｃｅ−Ｍｉｎｉｍｕｍ Ｆｒｅｑｕｅｎｃｙ Ａｓｓｉｇｎｍｅｎｔ ｆｏｒ Ｓａｔｅｌｌｉｔｅ ＳＣＰＣ Ｓｙｓｔｅｍｓ」、ＩＥＥＥ Ｔｒａｎｓａｃｔｉｏｎｓ Ｏｎ Ｃｏｍｍｕｎｉｃａｔｉｏｎｓ、１９８４年４月、Ｖｏｌ．３２、Ｎｏ．４、ｐ．４６２−４６８
【発明の概要】
【発明が解決しようとする課題】
【０００６】
上述の無線局装置に対する周波数の割り当ての処理としては、例えば周波数配置装置は、所定の周波数帯域幅において設定された複数の周波数の何れかを割り当て要求を行った無線局装置に割り当てる。この処理において周波数配置装置は周波数配置情報を参照する。周波数配置情報には周波数帯域において無線局装置に設定できる周波数が記録されている。この周波数は所定の帯域幅を持った周波数であってよい。
【０００７】
周波数の割り当て対象である無線局装置では、異なる情報をその情報に適した異なる通信速度で他の無線局装置とそれぞれ通信する場合がある。この場合、例えば無線局装置に対する割り当てを行う周波数配置装置は、通信速度に応じた周波数配置情報を記憶している。周波数配置装置は、通信速度に応じた周波数配置情報を選択し、その中から無線局装置に割り当てる周波数を決定する必要がある。しかしながら、複数の周波数配置情報による周波数帯域幅が重なる場合などでは、それら異なる周波数配置情報に含まれる割り当て用の周波数が重なる場合もあり、適切な周波数の割り当てができない場合が想定される。
【０００８】
本発明は、上述の課題を解決する周波数配置装置、処理方法、プログラムを提供することを目的とする。
【課題を解決するための手段】
【０００９】
本発明の第１の態様によれば、周波数配置装置は、第一の周波数帯域幅において無線局装置の無線通信に用いる周波数として決定した複数の周波数を有する第一周波数群の情報を含む配置情報であって前記第一周波数群に含まれる複数の周波数のうちの何れか周波数を他の周波数群に含まれる何れかの周波数を用いた際の干渉の影響に基づいて減少対象とする第一配置情報と、前記第一の周波数帯域幅の少なくとも一部の帯域で重なる第二の周波数帯域幅において前記無線局装置の無線通信に用いる周波数として決定した複数の周波数を有する第二周波数群の情報を含む第二配置情報と、を取得する配置情報取得部と、前記第一周波数群に含まれる周波数と、前記第二周波数群に含まれる周波数を同時に用いた際の各周波数に影響する干渉値に基づいて、前記第一配置情報が示す前記第一周波数群に含まれる周波数のうち前記第二周波数群に含まれる何れかの周波数を用いた場合に干渉の影響のある周波数を前記無線通信に用いない周波数として削減すると共に、前記第二配置情報が示す前記第二周波数群に含まれる周波数の数を順に選択し、各周波数に影響する干渉値が所定の干渉値未満となる場合の、第一周波数群に含まれる周波数と第二周波数群に含まれる周波数とを含む統合配置情報を決定する配置情報決定部と、を備える。
【００１０】
また本発明の第２の態様によれば、処理方法は、周波数配置装置が、第一の周波数帯域幅において無線局装置の無線通信に用いる周波数として決定した複数の周波数を有する第一周波数群の情報を含む配置情報であって前記第一周波数群に含まれる複数の周波数のうちの何れか周波数を他の周波数群に含まれる何れかの周波数を用いた際の干渉の影響に基づいて減少対象とする第一配置情報と、前記第一の周波数帯域幅の少なくとも一部の帯域で重なる第二の周波数帯域幅において前記無線局装置の無線通信に用いる周波数として決定した複数の周波数を有する第二周波数群の情報を含む第二配置情報と、を取得し、前記第一周波数群に含まれる周波数と、前記第二周波数群に含まれる周波数を同時に用いた際の各周波数に影響する干渉値に基づいて、前記第一配置情報が示す前記第一周波数群に含まれる周波数のうち前記第二周波数群に含まれる何れかの周波数を用いた場合に干渉の影響のある周波数を前記無線通信に用いない周波数として削減すると共に、前記第二配置情報が示す前記第二周波数群に含まれる周波数の数を順に選択し、各周波数に影響する干渉値が所定の干渉値未満となる場合の、第一周波数群に含まれる周波数と第二周波数群に含まれる周波数とを含む統合配置情報を決定する。
【００１１】
また本発明の第３の態様によれば、プログラムは、周波数配置装置に、第一の周波数帯域幅において無線局装置の無線通信に用いる周波数として決定した複数の周波数を有する第一周波数群の情報を含む配置情報であって前記第一周波数群に含まれる複数の周波数のうちの何れか周波数を他の周波数群に含まれる何れかの周波数を用いた際の干渉の影響に基づいて減少対象とする第一配置情報と、前記第一の周波数帯域幅の少なくとも一部の帯域で重なる第二の周波数帯域幅において前記無線局装置の無線通信に用いる周波数として決定した複数の周波数を有する第二周波数群の情報を含む第二配置情報と、を取得する配置情報取得ステップと、前記第一周波数群に含まれる周波数と、前記第二周波数群に含まれる周波数を同時に用いた際の各周波数に影響する干渉値に基づいて、前記第一配置情報が示す前記第一周波数群に含まれる周波数のうち前記第二周波数群に含まれる何れかの周波数を用いた場合に干渉の影響のある周波数を前記無線通信に用いない周波数として削減すると共に、前記第二配置情報が示す前記第二周波数群に含まれる周波数の数を順に選択し、各周波数に影響する干渉値が所定の干渉値未満となる場合の、第一周波数群に含まれる周波数と第二周波数群に含まれる周波数とを含む統合配置情報を決定する配置情報決定ステップと、を実行させる。
【発明の効果】
【００１２】
本発明によれば、周波数配置装置は、無線局装置に対して、異なる周波数配置情報を統合して適切な周波数の割り当てを行うことができる。
【図面の簡単な説明】
【００１３】
【図１】本発明の一実施形態による周波数配置装置を備えた通信システムの概要を示す図である。
【図２】本発明の一実施形態による周波数配置装置のハードウェア構成を示す図である。
【図３】本発明の一実施形態による周波数配置装置の機能ブロック図である。
【図４】本発明の一実施形態による第一配置情報と第二配置情報を説明する図である。
【図５】本発明の一実施形態による周波数配置装置の処理を示す第一の図である。
【図６】本発明の一実施形態による周波数配置装置の処理を示す第二の図である。
【図７】本発明の一実施形態による周波数配置装置の処理を示す第三の図である。
【図８】本発明の一実施形態による周波数配置装置の最小構成を示す図である。
【発明を実施するための形態】
【００１４】
以下、本発明の一実施形態による周波数配置装置を図面を参照して説明する。
図１は同実施形態による周波数配置装置を備えた通信システムの概要を示す図である。
この図が示すように通信システム１は周波数配置装置１０を備えている。周波数配置装置１０にはＤＡＭＡアクセス主装置２１と管理装置５０とが通信ネットワークを介して接続されている。管理装置５０は周波数配置装置１０を管理する。ＤＡＭＡアクセス主装置２１はモデム２２と接続される。モデム２２はアンテナ２３を備える。また通信システム１は、周波数配置装置１０の遠隔にＤＡＭＡアクセス従装置３１、４１を備える。ＤＡＭＡアクセス従装置３１はモデム３２と接続される。モデム３２はアンテナ３３を備える。ＤＡＭＡアクセス従装置４１はモデム４２と接続される。モデム４２はアンテナ４３を備える。
【００１５】
周波数配置装置１０及びＤＡＭＡアクセス主装置２１は、ＤＡＭＡアクセス従装置３１やＤＡＭＡアクセス従装置４１からの要求に応じて周波数の割り当てを行う回線制御局側の装置である。
ＤＡＭＡアクセス従装置３１，４１は、回線制御局に対して回線割当要求を行う無線局装置側の装置である。
【００１６】
周波数配置装置１０は、所定の通信周波数帯において無線局装置に割り当てることのできる最大回線数の情報を管理装置などから入力する。この最大回線数に基づき、周波数配置装置１０は、後述する手法により、所定の通信周波数帯において無線通信に利用する周波数の特定、及び各周波数の各無線局装置への割り当てや周波数ごとの割り当て順序の決定を行う。周波数配置装置１０は、無線局装置に割り当てると決定した周波数とその割当順序を、ＤＡＭＡアクセス主装置２１に通知してもよい。
【００１７】
ＤＡＭＡアクセス従装置３１は、ＤＡＭＡアクセス主装置２１に対してモデム３２、アンテナ３３を介して回線割当要求を行う。これに応じ、ＤＡＭＡアクセス主装置２１は、周波数配置装置１０が決定した割当順序に基づいて、割り当てるべき周波数を決定し、モデム２２、アンテナ２３を介してＤＡＭＡアクセス従装置３１に周波数を通知する。ＤＡＭＡアクセス従装置３１を有する無線局装置は、ＤＡＭＡアクセス従装置３１において通知された周波数を利用して無線通信を行う。
ＤＡＭＡアクセス従装置４１は、同様に、ＤＡＭＡアクセス主装置２１に対してモデム４２、アンテナ４３を介して回線割当要求を行う。これに応じ、ＤＡＭＡアクセス主装置２１は、周波数配置装置１０が決定した割当順序に基づいて、割り当てるべき周波数を決定し、モデム２２、アンテナ２３を介してＤＡＭＡアクセス従装置４１に周波数を通知する。ＤＡＭＡアクセス従装置４１を有する無線局装置は、ＤＡＭＡアクセス従装置４１において通知された周波数を利用して無線通信を行う。
【００１８】
図２は周波数配置装置のハードウェア構成を示す図である。
図２で示すように、周波数配置装置１０はＣＰＵ（Central Processing Unit）１０１、ＩＦ（Interface）１０２、通信モジュール１０３、ＲＯＭ（Read Only Memory）１０４、ＲＡＭ（Random Access Memory）１０５、ＨＤＤ（Hard Disk Drive）１０６などの構成を備えたコンピュータである。
【００１９】
図３は本実施形態による周波数配置装置の機能ブロック図である。
周波数配置装置１０は周波数配置プログラムを記憶している。周波数配置装置１０のＣＰＵ１０１は、ユーザ操作に基づいて周波数配置プログラムを実行する。周波数配置装置１０は周波数配置プログラムの実行により、図３で示すように、制御部１１、配置情報取得部１２、配置情報決定部１３、周波数割り当て部１４の各機能を発揮する。
【００２０】
制御部１１は、周波数配置装置１０の他の機能部を制御する。
配置情報取得部１２はＨＤＤ１０６などの記憶部に記録されている配置情報を取得する。本実施形態においては、ある定められた所定の周波数範囲を示す第一の周波数帯域幅において無線局装置の無線通信に用いる周波数として決定した複数の周波数を有する第一周波数群を有する第一配置情報を取得する。また配置情報取得部１２は、ある定められた所定の周波数範囲を示す第二の周波数帯域幅において無線局装置の無線通信に用いる周波数として決定した複数の周波数を有する第二周波数群を有する第二配置情報を取得する。本実施形態において第一の周波数帯域幅と、第二の周波数帯域幅とは同じ周波数範囲を示す周波数帯域を示していてよい。つまり第一の周波数帯域幅と、第二の周波数帯域幅とは、少なくとも一部の帯域で重なっていてよい。
【００２１】
配置情報決定部１３は、第一配置情報と、第二配置情報とを用いて統合配置情報を決定する。配置情報決定部１３は、第一周波数群に含まれる周波数と、第二周波数群に含まれる周波数を同時に用いた際の各周波数に影響する干渉値に基づいて、第一周波数群に含まれる周波数を無線通信に用いる周波数から外す。また配置情報決定部１３は、第二周波数群に含まれる周波数の数を順に増加し、各周波数に影響する干渉値が所定の干渉値未満となる場合の、第一周波数群に含まれる周波数と第二周波数群に含まれる周波数とを含む統合配置情報を決定する。
【００２２】
図４は本実施形態による第一配置情報と第二配置情報を説明する図である。
図４で示すように本実施形態の配置情報取得部１２は２つの配置情報を取得する。一方を第一配置情報Ａと呼び、他方を第二配置情報Ｂと呼ぶ。第一配置情報Ａは、第一の周波数帯域幅において無線局装置の無線通信に用いる周波数として決定した複数の周波数を有する第一周波数群を有する情報である。また第二配置情報Ｂは、第二の周波数帯域幅において無線局装置の無線通信に用いる周波数として決定した複数の周波数を有する第二周波数群を有する情報である。第一配置情報はｘｋＨｚ〜ｙｋＨｚまでの周波数帯域幅（第一の周波数帯域幅）において１ａ，１ｂ，１ｃ，１ｄ，１ｅの５つの周波数が決定された情報である。第二配置情報はｘｋＨｚ〜ｙｋＨｚまでの周波数帯域幅（第二の周波数帯域幅）において２ａ，２ｂ，２ｃの３つの周波数が決定された情報である。各周波数の情報は帯域を有していてよい。
本実施形態においては第一配置情報Ａと第二配置情報Ｂの２つの配置情報を用いる場合を説明するが、それ以上多くの配置情報を用いて処理を行ってもよい。
【００２３】
図５は本実施形態による周波数配置装置の処理を示す第一の図である。
図６は本実施形態による周波数配置装置の処理を示す第二の図である。
図７は本実施形態による周波数配置装置の処理を示す第三の図である。
次に図５〜図７を用いて周波数配置装置の処理について説明する。
周波数配置装置１０の配置情報取得部１２は、第一配置情報Ａと第二配置情報Ｂを取得する（ステップＳ１）。周波数配置装置１０は予めＨＤＤ１０６などの記憶部に記録されている第一配置情報Ａや第二配置情報Ｂを取得してよい。または周波数配置装置１０は管理装置５０から第一配置情報Ａや第二配置情報Ｂを取得してよい。配置情報取得部１２は取得した第一配置情報Ａと第二配置情報Ｂを配置情報決定部１３に出力する。
【００２４】
配置情報決定部１３は、取得した複数の配置情報のうち周波数減少対象の配置情報を決定する。周波数減少対象の配置情報とは、一方の配置情報の周波数群に含まれる周波数と同時に、他方の配置情報の周波数群に含まれる周波数を利用した場合において、干渉の影響により周波数を減少させる配置情報を指す。本実施形態においては周波数減少対象の配置情報を第一配置情報Ａとする。周波数減少対象の配置情報以外の配置情報は他の配置情報（第二配置情報Ｂ）と呼ぶこととする。
【００２５】
配置情報決定部１３は他の配置情報である第二配置情報Ｂの周波数群に含まれる１つの周波数を特定し、特定した周波数と、周波数減少対象の配置情報（第一配置情報Ａ）の周波数群に含まれる各周波数とを比較する（ステップＳ２）。図５のステップＳ２においてＡ１は、第一配置情報Ａに含まれる周波数群が示す周波数帯域幅における周波数の位置関係を表す図に、第二配置情報Ｂに含まれる周波数２ａを表した例を示している。図５のステップＳ２においてＡ２は、第一配置情報Ａに含まれる周波数群が示す周波数帯域幅における周波数の位置関係を表す図に、第二配置情報Ｂに含まれる周波数２ｂを表した例を示している。図示を省略しているが配置情報決定部１３は、第二配置情報Ｂの周波数群に含まれる周波数２ｃについても同様に、周波数減少対象の配置情報（第一配置情報Ａ）の周波数群に含まれる各周波数と比較する。つまり配置情報決定部１３は他の配置情報である第二配置情報Ｂの周波数群に含まれる全ての周波数について、ステップＳ２の処理を行う。
【００２６】
配置情報決定部１３は特定した周波数が、第一配置情報Ａの周波数群に含まれる周波数と重なる場合には、その特定した周波数と重なる第一配置情報Ａの周波数群に含まれる周波数を削除する。配置情報決定部１３は第二配置情報Ｂにおいて特定した周波数と第一配置情報Ａの周波数群に含まれる各周波数とを同時に利用した場合に、第一配置情報Ａの周波数群に含まれる無線信号が第二配置情報Ｂにおいて特定した周波数の無線信号に影響する干渉値を算出し、またその干渉値を示す干渉を与えている第一配置情報Ａの周波数群のうちの周波数を特定する。この干渉値の算出や干渉を与えている周波数の特定には公知の技術（上述の非特許文献に開示される技術など）を用いることとする。配置情報決定部１３は干渉値が所定値以上の影響を与えている周波数を削除する。これにより配置情報決定部１３は他の配置情報から特定した一つの周波数を、周波数減少対象の配置情報に含めた場合の仮配置情報を生成する（ステップＳ３）。
【００２７】
配置情報決定部１３は、ステップＳ３の処理により、図５のステップＳ３の図に示すような仮配置情報Ａ１’と仮配置情報Ａ２’を生成する。仮配置情報Ａ１’はステップＳ２のＡ１において周波数２ａと、周波数１ａが重なるため、また周波数１ｄは第二配置情報Ｂにおいて特定した周波数２ａに所定値以上の干渉の影響を与えている周波数であるため、第一配置情報Ａの周波数１ａ及び周波数１ｄを削除した場合の例である。仮配置情報Ａ２’はステップＳ２のＡ２において、第二配置情報Ｂにおいて特定した周波数の信号に影響する干渉値を算出した結果、第二配置情報Ｂにおいて特定した周波数２ｂに影響する干渉値が所定の閾値以上の影響を与えている為、周波数１ａを削除した場合の例である。図示は省略しているが、配置情報決定部１３は、第二配置情報Ｂの周波数２ｃと第一周波数情報Ａの各周波数を用いてステップＳ３の処理も行う。
【００２８】
配置情報決定部１３はステップＳ３で生成した仮配置情報のうち、第一配置情報Ａの周波数群の周波数の数が最も残っている仮配置情報を選択する（ステップＳ４）。この選択した仮配置情報を第一仮統合配置情報Ｃと呼ぶこととする。配置情報決定部１３は、第二配置情報Ｂの周波数群の周波数のうち、第一仮統合配置情報Ｃに含まれる第二配置情報Ｂの周波数２ｂ以外の残りの周波数２ａ、２ｃを含む第二配置情報Ｂ１を抽出する。
【００２９】
配置情報決定部１３は、ステップＳ４で生成した第一仮統合配置情報Ｃに、第二配置情報の周波数群に含まれる周波数が、予め指定された数含まれるかを判定する。配置情報決定部１３は、ステップＳ４で生成した第一仮統合配置情報Ｃに、第二配置情報の周波数群に含まれる周波数が、予め指定された数含まれると判定した場合には、第一仮統合配置情報Ｃを、統合配置情報として出力し、ＨＤＤ１０６などの記憶部に記録する。配置情報決定部１３は、ステップＳ４で生成した第一仮統合配置情報Ｃに、第二配置情報の周波数群に含まれる周波数が、予め指定された数含まれないと判定した場合には、以降の処理を進める。本実施形態においては、統合配置情報に、第二配置情報の周波数群に含まれる周波数が、２つ含むよう指定されている場合の例について以下説明を続ける。
【００３０】
つまり配置情報決定部１３は、残りの周波数を含む第二配置情報Ｂ１から１つの周波数を特定する。配置情報決定部１３は特定した周波数と、第一仮統合配置情報Ｃの周波数群に含まれる周波数とを比較する（ステップＳ５）。図６のステップＳ５においてＣ１は、第一仮統合配置情報Ｃに含まれる周波数群が示す周波数帯域幅における周波数の位置関係を表す図に、他の配置情報である第二配置情報Ｂの周波数のうち仮統合配置情報に含まれていない残りの周波数を示す第二配置情報Ｂ１の周波数２ａを表した例を示している。図６のステップＳ５においてＣ２は、第一仮統合配置情報Ｃに含まれる周波数群が示す周波数帯域幅における周波数の位置関係を表す図に、他の配置情報である第二配置情報Ｂの周波数のうち仮統合配置情報に含まれていない残りの周波数を示す第二配置情報Ｂ１の周波数２ｃを表した例を示している。このように配置情報決定部１３は他の配置情報である第二配置情報Ｂの周波数のうち仮統合配置情報に含まれていない残りの周波数を含む第二配置情報Ｂ１に含まれる全ての周波数について、ステップＳ５の処理を行う。
【００３１】
配置情報決定部１３は、当該残りの周波数を含む第二配置情報Ｂ１から特定した周波数が、第一仮統合配置情報Ｃの周波数群に含まれる周波数と重なる場合には、その特定した周波数と重なる第一仮統合配置情報Ｃの周波数群に含まれる周波数を削除する。また配置情報決定部１３は、当該残りの周波数を含む第二配置情報Ｂ１から特定した周波数と第一仮統合配置情報Ｃの周波数群に含まれる周波数とを同時に利用した場合に、第一配置情報Ａの周波数群に含まれる周波数による無線信号が第二配置情報Ｂ１において特定した周波数の無線信号に影響する干渉値を算出する。また配置情報決定部１３は、その干渉値を示す干渉を与えている第一配置情報Ａの周波数群のうちの周波数を特定する。上述と同様にこの干渉値の算出や干渉を与えている周波数の特定は公知の技術を用いることとする。配置情報決定部１３は所定値以上の干渉の影響を与えている第一配置情報Ａの周波数を削除する。これにより配置情報決定部１３は、残りの周波数を含む第二配置情報Ｂ１から特定した一つの周波数を、第一仮統合配置情報Ｃに含めた場合の仮配置情報を生成する（ステップＳ６）。
【００３２】
配置情報決定部１３は、ステップＳ６の処理により、図７のステップＳ６の図に示すような仮配置情報Ｃ１’と仮配置情報Ｃ２’を生成する。仮配置情報Ｃ１’はステップＳ５のＣ１において、第二配置情報Ｂ１において特定した周波数の信号に影響する干渉値を算出した結果、第二配置情報Ｂ１において特定した周波数に所定の閾値以上の干渉の影響を与えている為、周波数１ｃを削除した場合の例である。仮配置情報Ｃ２’はステップＳ５のＣ２において、周波数２ｃと、周波数１ｅが重なるため、第一配置情報Ａの周波数１ｅを削除し、また第二配置情報Ｂ１において特定した周波数の信号に影響する干渉値を算出した結果、第二配置情報Ｂ１において特定した周波数に所定の閾値以上の干渉の影響を与えている為、周波数１ｃを削除した場合の例である。
【００３３】
配置情報決定部１３はステップＳ６で生成した仮配置情報のうち、第一配置情報Ａの周波数群の周波数の数が最も残っている仮配置情報Ｃ１’を選択する（ステップＳ７）。この選択した仮配置情報を第二仮統合配置情報Ｄと呼ぶこととする。
【００３４】
配置情報決定部１３は、ステップＳ７により生成した第二仮統合配置情報Ｄに、第二配置情報の周波数群に含まれる周波数が、予め指定された数含まれるかを判定する。配置情報決定部１３は、ステップＳ７で生成した第二仮統合配置情報Ｄに、第二配置情報の周波数群に含まれる周波数が、予め指定された数含まれると判定した場合には、第二仮統合配置情報Ｄを、統合配置情報として出力し、ＨＤＤ１０６などの記憶部に記録する。図７で示すように、第二仮統合配置情報Ｄには、第二配置情報の周波数群に含まれる周波数が、指定された数の２つ含まれている。したがって配置情報決定部１３は、第二仮統合配置情報Ｄを、統合配置情報として出力して記録する。
【００３５】
本実施形態においては、元々の第二配置情報に含まれる周波数の数Ｎが３つであり、統合配置情報に含まれるべき第二配置情報の周波数の数Ｍが２と指定された場合の例について説明している。しかしながら、第二配置情報に含まれる周波数はいくつでも良く、また統合配置情報に含まれるべき第二配置情報の周波数の数ＭはＭ≦Ｎであればいくつでもよい。
【００３６】
例えば配置情報が３つである場合には、その３つの配置情報から１つの周波数減少対象の配置情報を決定し、他の配置情報から１つずつ周波数を順次特定して、ステップＳ２、ステップＳ３の処理やその後の処理を同様に行えばよい。その場合、ステップＳ５においても、他の配置情報から１つずつ周波数を順次特定して、ステップＳ６、ステップＳ７の処理を行えばよい。
【００３７】
次に周波数割り当て部１４は、統合配置情報を用いてＤＡＭＡアクセス従装置３１を備える無線局装置に対する周波数の割り当てを行う。この場合、ＤＡＭＡアクセス従装置３１がＤＡＭＡアクセス主装置２１に対して周波数割り当て要求を行う。ＤＡＭＡアクセス主装置２１は統合配置情報を周波数配置装置１０から取得し、その統合配置情報に記録されている周波数を特定する。統合配置情報は、ある周波数帯域において無線局装置が無線通信に用いる複数の周波数の情報を記憶している。この周波数は所定の周波数幅を持った情報であってよい。また統合配置情報は各周波数と、通信速度との対応関係を保持している。ＤＡＭＡアクセス従装置３１からの周波数割り当て要求には通信速度の情報が含まれてよい。この場合、周波数割り当て部１４は、要求された通信速度に対応する周波数を割り当てる。周波数割り当て部１４は、割り当てを行う周波数の情報を、ＤＡＭＡアクセス従装置３１へ送信する。
【００３８】
以上、本発明の実施形態について説明したが、上述の処理によれば、周波数配置装置１０は、第一の周波数帯域幅において無線局装置の無線通信に用いる周波数として決定した複数の周波数を有する第一周波数群の情報を含む配置情報を取得する。また周波数配置装置１０は、第二の周波数帯域幅において前記無線局装置の無線通信に用いる周波数として決定した複数の周波数を有する第二周波数群の情報を含む配置情報を取得する。そして周波数配置装置１０は、第一周波数群に含まれる周波数と、第二周波数群に含まれる周波数を同時に用いた際の各周波数に影響する干渉値に基づいて、第一周波数群に含まれる周波数を無線通信に用いる周波数から外す。また周波数配置装置１０は、第二周波数群に含まれる周波数の数を順に増加し、各周波数に影響する干渉値が所定の干渉値未満となる場合の、第一周波数群に含まれる周波数と第二周波数群に含まれる周波数とを含む統合配置情報を決定する。
このような処理によれば周波数配置装置１０は、無線局装置に対して、異なる周波数配置情報を用いてより適切な周波数の割り当てを行うことができる。例えば、周波数配置装置１０は、干渉の発生しにくい周波数を無線局装置に対して割り当てることができる。また周波数配置装置１０は、通信速度に応じた周波数配置情報を統合して、異なる通信速度で通信を行う同一地域に位置する無線局装置に対し、より適切な、干渉の発生しにくい周波数であって、通信速度に応じた周波数を適用することができる。
【００３９】
図８は本発明の一実施形態による周波数配置装置の最小構成を示す図である。
本発明の実施形態による周波数配置装置１０は、少なくとも、上述の配置情報取得部１２と、配置情報決定部１３の機能を含むものであればよい。
【符号の説明】
【００４０】
１０・・・周波数配置装置
２１・・・ＤＡＭＡアクセス主装置
３１，４１・・・ＤＡＭアクセス従装置
２２，３２，４２・・・モデム
２３，３３，４３・・・アンテナ
１１・・・制御部
１２・・・配置情報取得部
１３・・・配置情報決定部
１４・・・周波数割り当て部
１０１・・・ＣＰＵ
１０２・・・ＩＦ
１０３・・・通信モジュール
１０４・・・ＲＯＭ
１０５・・・ＲＡＭ
１０６・・・ＨＤＤ
【図１】
0006677027.tif 000002
【図２】
0006677027.tif 000003
【図３】
0006677027.tif 000004
【図４】
0006677027.tif 000005
【図５】
0006677027.tif 000006
【図６】
0006677027.tif 000007
【図７】
0006677027.tif 000008
【図８】
0006677027.tif 000009